(57)【要約】タッチ感知式マトリクスディスプレイは、感知領域（Ａ１）において感知されるタッチ位置に依存して情報が表示される表示領域（Ａ２）と重なり合わないように選択される個別の感知領域（Ａ１）における感知期間（ＴＳ）の間にタッチ入力を感知する。感知期間（ＴＳ）の間、感知領域（Ａ１）はアドレスされない。感知領域（Ａ１）の２つの連続する感知領域アドレス期間（ＴＡ２）の間に存在する時間の非アドレス期間（ＴＲ）は、完全な表示領域（Ａ２）にアドレスするために必要な表示領域アドレス期間（ＴＡ１，ｉ）と少なくとも同じ長さだけ続き、好適には、それより長く続く。感知領域（Ａ１）において表示されるデータは、感知期間（ＴＳ）の中間にある感知領域アドレス期間（ＴＡ２）の間に、感知領域（Ａ１）にアドレスすることによりリフレッシュされる。マトリクスディスプレイの画素（１０）はアドレスされないときに非アドレス期間（ＴＲ）より長く維持される光学状態を有するため、感知領域（Ａ１）において表示されるデータは、２つの連続した感知領域アドレス期間（ＴＡ２，ＴＡ２´）の間に存在し、感知により妨げられない。
2005538406.tif 000002
【特許請求の範囲】
【請求項１】
画素のマトリクス；
マトリクスディスプレイの第１領域を構成する画素の第１副集合を用いてタッチ位置を感知するための感知回路；
前記タッチ位置に依存する情報を表示するように前記第１領域と用いて重なり合わない前記マトリクスディスプレイの第２領域を構成する画素の第２副集合をアドレスするためのアドレシング回路；及び
感知期間のみの間の前記第１領域に表示情報を供給するように感知領域アドレス期間中、前記第１領域にアドレスするために前記アドレシング回路を断続的に制御するための制御回路であって、２つの連続した感知領域アドレス期間の間の時間の非アドレス期間は少なくとも表示領域アドレス期間と同じ長さであり、前記第２領域の画素全てがアドレスされ、前記画素は、アドレスされないとき、前記の時間の非アドレス期間より長く維持される光学状態を有する、制御回路；
を有することを特徴とするタッチ感知式マトリクスディスプレイ。
【請求項２】
請求項１に記載のタッチ感知式マトリクスディスプレイであって、前記マトリクスディスプレイは選択電極とデータ電極とを有し、前記画素は前記選択電極と前記データ電極との交差部分に関連付けられ、前記感知回路は、前記第１領域のみに対して、前記選択電極のみの副集合に結合されている、ことを特徴とするタッチ感知式マトリクスディスプレイ。
【請求項３】
請求項２に記載のタッチ感知式マトリクスディスプレイであって：
前記選択電極は選択電極の第１集合と選択電極の第２集合とを有し、前記データ電極はデータ電極の第１集合とデータ電極の第２集合とを有し、前記の選択電極の第１集合と前記のデータ電極の第１集合とは前記第１領域に関連付けられ、前記の選択電極の第２集合と前記のデータ電極の第２集合とは前記第２領域に関連付けられる；
タッチ感知式マトリクスディスプレイであり、前記アドレシング回路は：
第１選択ドライバは前記の選択電極の第１集合に結合され、第１データドライバは、前記第１領域に表示情報を供給し、タッチ入力を断続的に感知するための前記のデータ電極の第１集合に結合され；及び
第２選択ドライバは前記の選択電極の第２集合に結合され、第２データドライバは、前記第２領域にアドレスするための前記のデータ電極の第２集合に結合されている；
ことを特徴とするタッチ感知式マトリクスディスプレイ。
【請求項４】
請求項２に記載のタッチ感知式マトリクスディスプレイであって：
前記データ電極は、前記表示領域に関連付けられた第１群と、前記感知領域に関連付けられた第２群とに分割された；
タッチ感知式マトリクスディスプレイであり、
前記ディスプレイは、前記第１群と前記第２群の対応するデータ電極の間に配置されているスイッチを更に有し；
前記制御回路は、前記感知領域がアドレスされるとき、前記スイッチを閉状態にするために、及び、前記タッチイベントが前記感知領域において感知される前記感知期間中、前記第１群及び前記第２群の前記の対応するデータ電極の接続を切るために、適応される；
ことを特徴とするタッチ感知式マトリクスディスプレイ。
【請求項５】
請求項２に記載のタッチ感知式マトリクスディスプレイであって：
前記ディスプレイは前記データ電極と並列状態に配置され、前記第１領域のみにおいて広がっている感知電極を更に有し；
前記アドレシング回路は、前記選択電極に結合された選択ドライバと、前記第１領域及び前記第２領域の両方に表示情報を供給するために前記データ電極に結合されているデータドライバとを有し；
前記感知回路は、選択電極と前記第１領域に関連付けられた少なくとも前記選択電極の副集合とに結合されている；
ことを特徴とするタッチ感知式マトリクスディスプレイ。
【請求項６】
請求項２に記載のタッチ感知式マトリクスディスプレイであって：
前記制御回路は、感知期間により感覚をあけられた少なくとも２つの連続したアドレス期間中、前記第２領域にアドレスするために前記アドレシング回路を制御するために、及び、前記感知期間中、タッチイベントを感知するために前記感知回路を制御するために、適応されている；
ことを特徴とするタッチ感知式マトリクスディスプレイ。
【請求項７】
請求項１に記載のタッチ感知式マトリクスディスプレイであって、前記マトリクスディスプレイは電気泳動ディスプレイである、ことを特徴とするタッチ感知式マトリクスディスプレイ。
【請求項８】
請求項１に記載のタッチ感知式マトリクスディスプレイ；及び
前記タッチ感知式マトリクスディスプレイに表示される画像の少なくとも一部を生成するために感知されたタッチ位置に依存してアドレシング回路に入力データを供給するための信号プロセッサ；
を有することを特徴とする表示装置。
【請求項９】
画素のマトリクスを有するタッチ感知式マトリクスディスプレイにおけるタッチ感知する方法であって：
前記マトリクス表示の第１領域を構成する前記画素の第１副集合を用いてタッチ位置を感知する段階であって、前記画素は、アドレスされないとき、感知回路が前記第１領域を感知する感知期間より長く維持される、段階；
前記タッチ位置に依存する情報を表示するために、前記第１領域と重なり合わない前記マトリクスディスプレイの第２領域を構成する前記画素の第２副集合にアドレスする段階；並びに
前記感知期間のみの間の前記第１領域に表示情報を供給するために前記第１領域に断続的にアドレスするように前記アドレシング回路を制御する段階；
を有することを特徴とする方法。
【発明の詳細な説明】
【技術分野】
【０００１】
本発明は、タッチ感知式マトリクスディスプレイ、そのようなタッチ感知式マトリクスディスプレイを有する表示装置及びタッチ感知方法に関する。
【背景技術】
【０００２】
欧州特許第Ｂ−０４１６１７６号明細書において、情報を表示するためにディスプレイの行及び列電極に信号を供給する非機械式及び非放射性マトリクスディスプレイについて開示されており、それらのディスプレイは、ディスプレイに電気的に結合されている入力ペンの位置を行及び列電極を用いて感知する。個別の入力ペン感知エレクトロニクスは、ペン入力を有する、装置の各々の個々の領域を備えている。同様に、個別のディスプレイ領域は、そのディスプレイ自体の専用のディスプレイ制御サブシステムを備えることができる。感知領域全ては、感知領域において情報を表示するために高い繰り返し周波数でアドレスされる必要がある。
【発明の開示】
【発明が解決しようとする課題】
【０００３】
本発明の目的は、消費電力が少ないタッチ感知式マトリクスディスプレイを提供することである。
【課題を解決するための手段】
【０００４】
本発明の第１特徴は、請求項１に記載されているタッチ感知式マトリクスディスプレイを提供する。本発明の第２特徴は、請求項８に記載されている表示装置を提供する。本発明の第３特徴は、請求項９に記載されているタッチ感知方法を提供する。有利な実施形態については従属請求項において規定している。
【０００５】
タッチ感知式マトリクスディスプレイは、感知領域において感知されるタッチ位置に依存して情報が表示される表示領域と重なり合わないように選択される個別の感知領域における感知期間の間にタッチ入力を感知する。感知期間の間、感知領域はアドレスされない。感知領域の２つの連続する感知領域アドレス期間の間に存在する非アドレス期間は、完全な表示領域にアドレスするために必要な表示領域アドレス期間と少なくとも同じ長さだけ続き、好適には、それより長く続く。感知領域において表示されるデータは、感知期間の中間にある感知領域アドレス期間の間に、感知領域にアドレスすることによりリフレッシュされる。マトリクスディスプレイの画素１０はアドレスされないときに非アドレス期間より長く維持される光学状態を有するため、感知領域において表示されるデータは、２つの連続する感知領域アドレス期間の間に存在し、感知により妨げられない。
【０００６】
非アドレス期間より実質的に長く維持されるそのような光学状態は、例えば、電気泳動ディスプレイのような双安定ディスプレイにおいて利用可能である。
【０００７】
実質的に長い時間（感知領域の非アドレス期間）の間、本発明に従った駆動スキームは、変化している情報が感知領域に供給された感知入力に応じて表示される必要がある、ディスプレイのディスプレイ部分のみにアドレスする必要がある。それ故、電力分散は、全表示領域が連続的にアドレスされる必要があるときより小さくなる。
【０００８】
マトリクスディスプレイの部分活性化を多くの方法で実施することが可能であり、例えば、アドレス回路は選択電極及びデータ電極の副集合のみを駆動するためにドライバの一部のみを使用するように制御されることが可能であり、選択電極及びデータ電極は異なるドライバにより駆動される群に分離され、又は、表示領域のみの部分に対して広がっている付加データ電極が備えられる。
【０００９】
入力は第1領域において感知される一方、入力に依存する情報は第２領域において表示され、例えば、キーボードはディスプレイの下部に表示され、キーボードで入力されたテキストはディスプレイの上部に表示されることは、ＬＣＤを使用するＰＤＡにより周知である。しかしながら、キーボードを表示するために、入力を感知するために使用されるこの下部は又、感知中にアドレスされる。より一般的には、全く異なる実施において、透明な個別のタッチスクリーンがディスプレイ（の一部）を覆って存在する。
【００１０】
請求項２で規定される実施形態においては、ディスプレイは、副集合が感知領域のみに関連付けられている選択電極の副集合に感知回路が結合されるようになっている。感知回路は、表示領域においては感知が必要ないため、表示の選択電極に結合される必要はない。
【００１１】
請求項３で規定される実施形態においては、選択電極及びデータ電極は２つの群に分割され、一の群は表示領域に関連付けられ、他の群は感知領域に関連付けられる。表示領域に関連付けられた群は表示領域のみにアドレスするように駆動される。表示領域においては、感知は必要とされないため、高リフレッシュレートに達するように及び動きアーチファクトを最小化するように、アドレシングが連続的に実行されることが可能である。他の群は、表示された情報をリフレッシュすることが可能であるようにタッチ入力のための感知を断続的に中断するように感知領域を駆動する。好適には、リフレッシングは、感知領域における電力消費を最小化するように、完全な表示領域にアドレスすることを必要とする幾つかのアドレシング期間において一度実行される。携帯用途においては、非常に少ない電力消費は非常に重要である。
【００１２】
個別の群は、付加電極を必要としないで、表示領域に同時にアドレスすること及び感知領域で感知することを可能にする。
【００１３】
請求項４に記載の実施形態においては、データ電極は、表示領域に関連付けられている第１群と、感知領域に関連付けられている第２群とに分割される。スイッチは、第１群のデータ電極各々と第２群の対応するデータ電極との間に配置されている。これは、付加電極を必要とせず、表示領域がアドレスされる間、感知領域における感知を可能にする。感知領域の表示データをリフレッシュするために感知領域がアドレスされるとき、スイッチは閉状態である。表示領域及び感知領域の両方にアドレスするために、同じデータドライバを使用することができる。
【００１４】
請求項５に規定される実施形態においては、マトリクスディスプレイは画素全てにアドレスすることができる。特別の感知電極が感知領域のみのために導入されている。この付加的な感知電極は、選択電極の方向に沿って位置座標を決定することを可能にする。これは、表示領域が連続的にアドレスされることができる一方、又同時に、感知領域における感知が感知電極により可能であるという利点を有する。
【００１５】
タッチ感知式マトリクスディスプレイにおいては、通常、選択された選択電極の１つに関連付けられる画素のラインを選択することにより、データが画素に書き込まれ、選択された画素のラインにデータを書き込む。アドレシング期間（又、フレーム期間という）の間、ラインは、１つずつ、データが書きこまれたライン各々に対して選択される。アドレシング期間の間に、データは画素に連続的に書き込まれるため、ラインの方向に沿ったタッチ位置の感知はデータ電極を使用することはできない。それ故、データの書き込みの中間においてタッチ位置を感知するために、複雑な駆動スキームが必要とされる。
【００１６】
請求項３、４又は５に記載されている本発明の実施形態においては、表示領域は、表示されるデータの高リフレッシュレートを提供する通常の方式でアドレスされることが可能である一方、感知領域における感知は、個別の電極が使用されるために妨げられない。
【００１７】
請求項６に記載の実施形態においては、表示領域の少なくとも２つの連続する領域において、表示領域の画素全てがアドレスされる各アドレス期間は時間的に直接、隣接していない。このように、感知領域における感知は、感知領域及び表示領域の両方に対して共通であるアドレス電極の画素にデータを供給することにより妨げられない。キーボード又は計算器のレイアウトのような特定のアプリケーションにおいて、これは、例えば、シンボル、文字及び／又は数字の集合等の固定情報ではないため、感知領域におけるデータが高レートでリフレッシュされないことは問題ではない。これは比較的長い感知期間を可能にし、その期間は、感知領域又は表示領域又はそれら両方にアドレスするために必要な期間より実質的に長いことさえ可能である。データが感知領域に供給されるとき、感知は比較的短い期間の間、動作しない。
【００１８】
それ故、感知期間の間、感知が連続的に存在するアドレシングにより妨げられない。表示領域のアドレシングは、感知が感知領域においてのみなされるため、感知により決して妨げられることはない。これは、ディスプレイの動作を簡単化する。
【００１９】
データは、連続する感知期間の中間にのみ存在するアドレシング期間の間に書き込まれるため、感知期間の間、タッチ位置の座標の１つを感知するために第１領域に関連付けられた既存のデータ電極を用いることが可能である。
【００２０】
本発明の以上の及び他の特徴は、以下に述べる実施形態を参照して明らかにすることとする。
【００２１】
種々の図における同じ参照番号は、同じ機能を果たす同じ要素又は同じ信号を表す。指数ｉにより続けられる１つ又はそれ以上の大文字を有する参照番号は、数字により続けられる同じ大文字を用いて始まる全ての参照番号をいう。
【発明を実施するための最良の形態】
【００２２】
図１は、タッチ感知式マトリクスディスプレイを有する表示装置のブロック図である。タッチ感知式マトリクスディスプレイは、感知領域とも呼ばれる第１領域Ａ１であって、データがタッチ位置を示すために表示され、タッチイベントの位置が感知される、第１領域と、表示領域とも呼ばれる第２領域Ａ２であって、感知されるタッチイベントに応答してデータが表示される、第２領域Ａ２とを有する。
【００２３】
タッチ感知式マトリクスディスプレイは、交差する選択電極１１とデータ電極１２とを有する。画素１０は、選択電極１１とデータ電極１２との交差部分に関連付けられる。アドレシング回路は、データドライバ２と選択ドライバ３とを有する。データドライバは入力データＶＩを受け、データ電極１２にデータ信号ＤＡを供給する。選択ドライバは選択電極１１に選択信号ＳＤを供給する。
【００２４】
選択回路５は、各々の一が感知領域Ａ１に関連付けられる選択電極１１に結合された入力を有する、複数の測定回路５０と、各々の一がデータ電極１２に結合された入力を有する、複数の測定回路６０とを有する。検出回路５１は、データ電極１２の方向に沿ってタッチ位置ＶＰを提供するように測定回路５０の出力に結合されている。検出回路６１は、選択回路１１の方向に沿ってタッチ位置ＨＰを提供するように測定回路６０の出力に結合されている。位置決定回路７０は、データ電極１２及び選択電極１１それぞれの方向にタッチイベントＶＰ、ＨＰの位置を受けるように、及び、タッチ位置ＴＰを提供するように、検出回路５１に結合されている。測定回路５０及び６０は、例えば、電荷感知増幅器である。
【００２５】
制御回路１は、データドライバ２、選択ドライバ３及び感知回路５それぞれに、制御信号ＣＤ、ＣＳ及びＣＰを供給する。信号処理回路６はタッチ位置ＴＰを受け、データドライバ２に入力データＶＩを供給する。入力データは、検出されるタッチ位置ＴＰに依存する。
【００２６】
図２は、図１の表示装置の動作を説明する信号を示している。アポストロフィが付いていない期間はディスプレイの特定の動作サイクルを表し、アポストロフィを付けて示されている期間は、その特定の動作サイクルに続く、ディスプレイの動作サイクルを表す。
【００２７】
図２Ａは、アドレシング期間ＴＡ１，１乃至ＴＡ１，ｎ及びＴＡ２の間に１つずつ、選択電極を選択するように選択ドライバ３を制御する制御信号ＣＳを示している。
【００２８】
（表示領域）アドレシング期間ＴＡ１，１乃至ＴＡ１，ｎの各々において、データＤＡを受けるために、表示領域Ａ２の画素１０全てが選択される。画素１０が、ライン毎に選択される場合、アドレシング期間ＴＡ１，１乃至ＴＡ１，ｎ毎の選択器間の数は、表示領域Ａ２に関連付けられる選択ライン１１の数に等しい。第１アドレシング期間ＴＡ１，１は時点ｔ１から時点ｔ２まで続く。アドレシング期間ＴＡ１，１乃至ＴＡ１，ｎの全ては、表示領域Ａ２のアドレシング期間ＴＲ中に生じる。このアドレシング期間ＴＲは時点ｔ１から時点ｔ３まで続く。表示領域Ａ２の次のアドレシング期間ＴＲ´は時点ｔ４から時点ｔ６まで続く。
【００２９】
時点ｔ３から時点ｔ４まで続く（感知領域）アドレシング期間ＴＡ２中、感知領域Ａ１は、この領域において表示されるデータを受けるためにアドレスされる。感知領域の次のアドレシング期間ＴＡ´は時点ｔ６から時点ｔ７まで続く。
【００３０】
図２Ｂは、データ電極１２により各々の選択期間ＳＰ中、選択された選択電極１１に供給されるデータ信号ＤＡを示している。データ信号ＤＡは、各々の選択期間ＳＰ中、各々のデータ電極１２により供給される必要がある。それ故、各々の選択期間ＳＰに対しては、ｘの付いたブロックで示されているようなデータ信号ＤＡのブロックが必要とされる。アドレシング期間ＴＡ１，１乃至ＴＡ１，ｎ中、データは表示領域Ａ２に関連付けられた選択ライン１１に供給され、アドレシング期間ＴＡ２中、データＤＡは表示領域Ａ１に関連付けられた選択ライン１１に供給される。
【００３１】
図２Ｃは、感知回路５に供給される制御信号ＣＰを示している。制御信号ＣＰの高レベルは、タッチ位置を決定するためにタッチイベントに対して感知回路５が感知する感知期間ＴＳを示している。感知期間ＴＳは、データが感知期間Ａ１に供給されるアドレシング期間ＴＡ２中、断続的に中断する。
【００３２】
タッチイベントは、測定回路５０及び６０、タッチ位置決定回路５１及び６１並びに結合器７０を有する感知回路５により感知される。感知回路５が、アドレシング期間ＴＡ２中、非アクティブであるとき、アドレシング期間ＴＡ２中に生じるタッチイベントは感知されない。表示領域Ａ２が数回アドレスされた、全ての表示領域のアドレス期間ＴＲ中、感知期間が続くことは重要ではない。
【００３３】
実施形態においては、タッチイベントは、画素１０の近くにある要素又は画素１の要素の変化している特性から決定される。例えば、圧力が加えられているときに、変化している画素１０の特性は、電化感知増幅器である測定回路５０及び６０により測定されることが可能である。代替として、圧力感知素子が画素の近傍に配置されることが可能であり、測定回路５０及び６０は、例えば、固定電圧において圧力感知素子を流れる電流を検出することにより、圧力感知素子のインピーダンス変化を決定する。タッチイベントを検出するために、有効な多くの代替方法がある。例えば、各々の画素の一に光感知素子を結合させることが可能である。
【００３４】
タッチ位置決定回路５１は、データ電極の方向のどこでタッチが検出されたかを示す測定回路の出力信号から、データ電極１２の方向でタッチイベントの位置を決定する。通常、データ電極１２は垂直方向に伸びており、タッチ決定回路５１は、タッチイベントの垂直方向の位置に対応する選択電極１１を表す数字が検出されるとき、タッチイベントの垂直方向の位置ＶＰを与える。タッチ位置決定回路６１は、選択電極１１の方向においてタッチイベントの位置を決定する。通常、選択電極１１は水平方向に伸びており、達し決定回路６１はタッチイベントの水平方向の位置ＨＰを与える。任意の結合器７０は、水平方向の位置と垂直方向の位置とを単一のデータ語に結合する。回路５１、６１及び７０は、専用回路又はマイクロプロセッサであることが可能である。
【００３５】
図２に示す信号に関連して明らかであるように、表示パネルのアドレシングは単なる例である。他のスキームにおいて、例えば、１つずつ、画素１０を選択することが可能である。
【００３６】
図３は、本発明に従ったマトリクスディスプレイの実施形態である。マトリクス表示パネルは２つの領域に分割されている。感知領域Ａ１において、タッチ入力が感知され、表示領域Ａ２において、感知されたタッチ入力に依存して情報が表示される。感知領域Ａ１に表示された情報は、感知領域Ａ１に断続的にアドレスすることにより、低レートでリフレッシュされる。
【００３７】
表示領域選択ドライバ３１は表示領域Ａ２の選択電極１１１を１つずつ選択し、データドライバ２１は表示領域Ａ２のデータ電極１２１にデータ信号ＤＳを供給する。感知領域選択ドライバ３０は感知領域Ａ１の選択電極に結合され、感知回路５は、タッチ入力を感知するために、選択電極１１０とデータ電極１２０とに結合されている。
【００３８】
スイッチＳ１乃至Ｓｎは、表示領域Ａ２と感知領域Ａ１それぞれの対応するデータ電極１２０と１２１との間に配置されている。スイッチＳ１乃至Ｓｎは制御信号ＳＣＳにより制御される。
【００３９】
制御信号ＳＣＳが開状態であるスイッチＳ１乃至Ｓｎを制御するとき、表示領域Ａ２と感知領域Ａ１は独立して動作する。表示領域Ａ２は、既知の方法で表示領域選択ドライバ３１及びデータドライバによりアドレスされる。感知回路５はタッチイベントとそれらの位置とを感知する。感知領域選択ドライバは感知領域Ａ１の感知モードにおいて非アクティブである。アドレス領域Ａ２と感知領域Ａ１の独立動作は、高リフレッシュレートで情報を表示するように表示領域Ａ２に連続してアドレスすることを可能にする一方、付加電極を必要とすることなく、感知領域Ａ１において、感知を連続的に実行することができる。
【００４０】
制御信号ＳＣＳが閉状態であるスイッチＳ１乃至Ｓｎを制御するとき、表示領域Ａ２及び感知領域Ａ１の両方は、データドライバ２１により生成された同じデータ信号ＤＳにより駆動される。感知選択ドライバ３０は動作状態であり、表示選択ドライバと共に、選択電極１１１及び１１０を１つずつ選択する一方。データドライバ２１は、データ電極１２１及び１２０にデータ信号ＤＳを供給する。ここで、表示領域Ａ２及び感知領域Ａ１の両方は、データを受けるためにアドレスされる。感知回路５は、通常の方法で完全なディスプレイがアドレスされるこの期間中、非動作状態である。
【００４１】
３つ以上の領域においてマトリクス表示パネルを駆動することが可能である。
【００４２】
スイッチＳ１乃至Ｓｎを省略することが可能である。ここで、ディスプレイは、図４を参照して明らかであるように、２つの個別の駆動領域を有する。
【００４３】
図４は、本発明に従ったマトリクスディスプレイの他の実施形態を示している。又、このディスプレイは、表示領域Ａ２と感知領域Ａ１とに分割されている。表示領域選択ドライバ３１及び表示領域データドライバ２１は、選択電極１１１と表示領域のデータ電極１２１とをそれぞれ、駆動する。感知領域選択ドライバ３０及び感知領域データドライバ２０は、電卓電極１１０と感知領域のデータ電極１２０とをそれぞれ、駆動する。感知回路５は、選択電極１１０及びデータ電極１２０の両方に結合されている。
【００４４】
ここで、表示領域Ａ２のアドレシングは、感知領域Ａ１の動作とは完全に独立しており、表示領域の画素１０に連続的にアドレスすることが可能である。時間の大部分の間、感知領域Ａ１はタッチイベントを感知するための感知領域として用いられ、感知領域Ａ１は、感知領域Ａ１において表示された情報をリフレッシュするためにアドレスされる。感知フェーズ中、感知回路５は、既存の選択電極１１０と既存のデータ電極１２０とにより、感知イベントの位置を感知する。アドレシングフェーズ中、感知は非アクティブであり、感知領域は、感知領域Ａ１の画素におけるデータをリフレッシュするために、感知領域データドライバ２０及び感知領域選択ドライバ３０によりアドレスされる。
【００４５】
図５は、本発明に従った他のマトリクスディスプレイの実施形態を示している。選択ドライバ３は、表示領域Ａ２及び感知領域Ａ１の選択電極１１の両方を駆動する。データドライバ２は、表示領域Ａ２及び感知領域Ａ１の両方において広がっているデータ電極１２を駆動する。感知回路５は、感知領域Ａ１に関連付けられた選択電極に、及び、表示領域Ａ２においてではなく感知領域Ａ１におけるデータ電極の方向に広がっている個別の選択電極に、結合されている。
【００４６】
時間の大部分の間、感知領域がタッチイベントを感知するために用いられるとき、選択回路３は、感知領域Ａ１に関連付けられた選択電極１１をアクティブにしない。表示領域に関連付けられた選択電極１１のみが、通常、１つずつアクティブにされる一方、データドライバ２はデータ電極１２にデータ信号を供給する。感知回路５は、感知領域Ａ１においてタッチイベントの位置を感知するために、付加感知電極１３及び使用されていない選択電極１１を使用することができる。感知回路は、データ電極が表示領域Ａ２をアドレスするために連続して用いられているため、これらの電極を用いることはできない。
【００４７】
比較的短い時間の期間中、感知領域はアドレスされる必要があるとき、選択ドライバ３は又、感知領域Ａ１に関連付けられた選択電極１１を、通常１つずつアクティブにする一方、データドライバ２はデータ電極１２にデータ信号を供給する。感知回路５は、比較的短いこの時間の期間中、タッチイベントを感知することができない。
【００４８】
それ故、このマトリクスディスプレイの実施形態は、通常の方法で完全なディスプレイにアドレスすることができるが、時間の大部分の間、ディスプレイの表示領域Ａ２にのみアドレスすることとなる。感知領域Ａ１における感知は、個別の感知電極１３により表示領域Ａ２のアドレシングに対して連続して実行されることができる。感知領域Ａ１がアドレスされる必要がある短い時間の間、マトリクス表示の駆動において、特別な条件は必要ではない。
【００４９】
図６は、本発明に従った実施形態を説明する信号を示している。図６は、アドレシング期間ＴＡ１，１乃至ＴＡ１，ｎ及びＴＡ２中、１つずつ選択電極１１を選択するために、選択ドライバ３を制御する制御信号ＣＳを示している。選択電極１１当たりの選択時間は選択器間ＳＰである。
【００５０】
各々の（表示領域）アドレシング期間ＴＡ１，１乃至ＴＡ１，ｎにおいて、表示領域Ａ２の画素全てが、データＤＡを受けるために選択される。画素１０がライン毎に選択される場合、アドレシング期間ＴＡ１，１乃至ＴＡ１，ｎ毎の選択器間の数は、表示領域Ａ２と関連付けられた選択ライン１１の数に等しい。
【００５１】
（感知領域）アドレシング機関ＴＡ２中、感知領域Ａ１は、この領域において表示されるデータを受けるためにアドレスされる。
【００５２】
図６は、感知回路５に供給される制御信号ＣＰを示している。制御信号ＣＰの高レベルは、タッチ位置を決定するために感知回路５がタッチイベントを感知する感知期間ＴＳを示している。感知期間ＴＳは、アドレシング期間ＴＡ１，１乃至ＴＡ１，ｎと、感知領域Ａ１及び表示領域Ａ２にデータを供給するアドレス期間ＴＡ２との両方の間、断続的に中断される。更に、表示期間Ａ２のアドレシング期間ＴＡ１，１乃至ＴＡ１，ｎの少なくとも２つが、完全な表示領域のアドレシングが中断される非アドレシングの時間の期間を生成するために、時間を分割される。感知期間Ａ１におけるタッチイベントの感知は、時間のこれらの時間の非アドレシング期間中、実行される。これは、タッチイベントの感知が比較的短い期間中、起こる欠点を有しているが、非アドレシング期間中、データ電極１２に供給されるデータがないときの感知に対して、既存のデータ電極１２を用いることを可能にする。
【００５３】
多くの代替のスキームが可能であり、すべてのアドレシング期間ＴＡ１，ｉの後、又は、幾つかのアドレシング期間ＴＡ１，ｉの後、非アドレシング時間が存在することが可能である。
【００５４】
上記の実子形態は本発明を限定するものではなく、同時提出の特許請求の範囲における範囲から逸脱することなく、多くの代替の実施形態を設計することが可能であることが、当業者はできるであろうことに留意する必要がある。
【００５５】
本発明は、例えば、タイプライター、計算器、メニューリーダー等のような、低電力の入出力装置の用途を対象としている。本発明は、例えば、電気泳動マトリクスディスプレイのような双安定マトリクスディスプレイを特に対象としている。
【００５６】
タッチ感知領域は再構成可能である。例えば、並列状態で感知される画素数を規定することにより、タッチパッドのサイズをキーボード又はメニューフィーチャのサイズに調整することができる。ディスプレイの残りの部分においては、タッチ入力の結果を視覚化することができる。
【００５７】
表現“を有する”は、請求項において列挙された要素又は段階以外の要素又は段階の存在を排除するものではない。いくつかの別個の要素を有するハードウェアにより、及び、適切にプログラムされたコンピュータにより、本発明を実施することができる。幾つかの手段を列挙した装置請求項においては、それらの手段の幾つかを、全く同一のハードウェアにより具現化することができる。互いに異なる従属請求項において列挙されている特定の手段は、それらの手段の組合せが有利に使用することができないことを表すものではない。
【図面の簡単な説明】
【００５８】
【図１】タッチ感知マトリクスディスプレイを有する表示装置のブロック図である。
【図２】図１の表示装置の動作を説明する信号を示す図である。
【図３】本発明に従ったマトリクスディスプレイの実施形態を示す図である。
【図４】本発明に従ったマトリクスディスプレイの他の実施形態を示す図である。
【図５】本発明に従ったマトリクスディスプレイの他の実施形態を示す図である。
【図６】本発明に従った実施形態を説明するための信号を示す図である。
【図１】
2005538406.tif 000003
2005538406.tif 000004
【図３】
2005538406.tif 000005
【図４】
2005538406.tif 000006
【図５】
2005538406.tif 000007
【図６】
2005538406.tif 000008
【国際調査報告】
2005538406.tif 000009
2005538406.tif 000010